(57)【要約】【課題】電源を効率よく冷却して電源の温度上昇を抑制しやすい光ディスク装置を提供することを目的とする。【解決手段】光ディスク９０を回転させる駆動部と、光ディスク９０の半径方向に沿って移動する対物レンズ３６及び光ディスク９０の回転方向に対し対物レンズ３６より下流側に電源３５を設けた光ピックアップ部３０と、を備え、光ピックアップ部３０は、光ディスク９０の回転方向に対し対物レンズ３６より下流側の内周側側面３２に貫通孔３３を有し、光ディスク９０の回転により生じた風Ｗを貫通孔３３を介して光ピックアップ部３０の内部に流入させ、内部に配置された電源３５を冷却する光ディスク装置とした。【選択図】図２
2008226294.tif 000002
【特許請求の範囲】
【請求項１】
光ディスクを回転させる駆動部と、
前記光ディスクの半径方向に沿って移動する対物レンズ及び前記光ディスクの回転方向に対し前記対物レンズより下流側に熱源部を設けた光ピックアップ部と、を備え、
前記光ピックアップ部は、前記光ディスクの回転方向に対し前記対物レンズより下流側の内周側側面に貫通孔を有し、前記光ディスクの回転により生じた風を前記貫通孔を介して前記光ピックアップ部の内部に流入させ、内部に配置された前記熱源部を冷却することを特徴とする光ディスク装置。
【請求項２】
前記熱源部は矩形状でその角部を前記貫通孔に向けて配置され、前記光ピックアップ部は、前記流入する風を前記矩形状の熱源部の角部に当てて２方向に分け、前記矩形状の熱源部の２辺に沿って流れさせ、前記熱源部を冷却することを特徴とする請求項１記載の光ディスク装置。
【請求項３】
前記熱源部は矩形状でその角部を前記貫通孔に向けて配置され、前記貫通孔の高さは前記熱源部の高さとほぼ同じであり、前記光ピックアップ部は、前記流入する風を矩形状の熱源部の側面に集めて、前記熱源部の角部に当てて２方向に分け、前記矩形状の熱源部の２辺に沿って流れさせ、前記熱源部を冷却することを特徴とする請求項１記載の光ディスク装置。
【請求項４】
前記光ピックアップ部は、所定の高さを有し内部に前記熱源部を収納する基台を有し、前記貫通孔は、前記基台の内周側側面に設けられたことを特徴とする請求項１記載のディスク装置。
【請求項５】
前記対物レンズ及び前記駆動部を露出させる開口部を有し前記光ピックアップ部の熱源部に対応する領域を覆うカバーを備え、前記貫通孔を介して前記光ピックアップ部の内部に流入する風は、前記光ディスクの回転により生じ前記カバーの開口部からカバーの下側に流入した風であることを特徴とする請求項１記載の光ディスク装置。
【請求項６】
前記光ピックアップ部は、前記熱源部を冷却した風を前記流入方向の下流側に逃がす開口部を有することを特徴とする請求項１記載の光ディスク装置。
【請求項７】
前記光ピックアップ部は、前記風の流入方向に対し前記熱源部の下流側に壁を有し、この壁に前記熱源部を冷却した風を前記流入方向の下流側に逃がす開口部を設けたことを特徴とする請求項１記載の光ディスク装置。
【請求項８】
前記光ピックアップ部は、前記光ピックアップ部を覆うピックアップカバーを有し、このピッアップカバーの上面に前記熱源部を冷却した風を前記流入方向の下流側に逃がす開口部を設けたことを特徴とする請求項１記載の光ディスク装置。
【請求項９】
前記光ピックアップ部は、前記矩形状の熱源部の２辺のうち一方の辺に沿って流れた風をその流入方向の下流側に逃がす第１開口部と、前記矩形状の熱源部の２辺のうち他方の辺に沿って流れた風をその流入方向の下流側に逃がす第２開口部と、を有することを特徴とする請求項２または３記載の光ディスク装置。
【請求項１０】
前記熱源部が発した熱を前記熱源部の下面から前記光ピックアップ部の底部に伝達する伝熱部材を設けたことを特徴とする請求項１記載の光ディスク装置。
【請求項１１】
前記熱源部は、前記光ピックアップ部の底部に沿って配置されたフレキシブルプリント基板上に設けられ、前記貫通孔を介して前記光ピックアップ部の内部に流入した風は、前記光ピックアップ部の底部と前記フレキシブルプリント基板との間に形成された所定の隙間に流入し、前記伝熱部材によって前記熱源部の下面から熱が伝達された前記光ピックアップ部の底面を冷却することを特徴とする請求項１０記載の光ディスク装置。
【請求項１２】
前記底部の前記フレキシブルプリント基板に対向する面に前記貫通孔から前記伝熱部材が設けられた近傍まで導風溝を形成したことを特徴とする請求項１１記載の光ディスク装置。
【請求項１３】
前記光ピックアップ部は、前記熱源部の上面を覆うフレキシブルプリント基板を有し、このフレキシブルプリント基板は、前記貫通孔を介して前記光ピックアップ部の内部に流入した風が前記熱源部の上方に拡散される量を減少させて前記熱源部の２辺に沿って流れる量を増大させることを特徴とする請求項２または３記載の光ディスク装置。
【発明の詳細な説明】
【技術分野】
【０００１】
本発明は、パーソナルコンピュータ、ノートブック型コンピュータ等の電子機器に搭載される光ディスク装置に関するものである。
【背景技術】
【０００２】
図１３は従来の光ピックアップモジュールの構成図、図１４は従来の光ピックアップ部の構成図である。光ピックアップモジュール１０１は、光ディスク１０８を回転させる回転駆動部及び光ピックアップ部１０５を光ディスク１０８の半径方向に移動させる移動駆動部を備える光ディスク装置の駆動機構である。
【０００３】
光ピックアップモジュール１０１は、ベース１０２に各種部品を配置して構成される。ベース１０２は、光ピックアップモジュール１０１の骨組みである。
【０００４】
回転駆動部は、スピンドルモータ１０３を備える駆動部である。スピンドルモータ１０３は、ターンテーブル上に光ディスク１０８を載置して回転することで、光ディスク１０８を回転させる。
【０００５】
移動駆動部は、フィードモータ１０４、スクリューシャフト、ガイドシャフトを備える駆動部である。光ピックアップ部１０５は、ガイドシャフトに移動自在に支持される。また、フィードモータ１０４の回転がスクリューシャフトからラックを介して光ピックアッ部１０５へ伝えられて光ピックアップ部１０５の駆動力が生成される。
【０００６】
ＰＵＭカバー１０６は、スピンドルモータ１０３と対物レンズ１１２を露出させる開口部１０７を有するカバーである。
【０００７】
光ピックアップ部１０５は、レーザ光を出射する光源１１０、光源１１０を駆動する電源１１１、光源１１０から出射されたレーザ光を光ディスク１０８上に集束させる対物レンズ１１２を配置する。光ピックアップ部１０５は、移動駆動部によって光ディスク１０８の半径方向に沿って移動する。
【０００８】
電源１１１は、ピックアップカバー１１３の下面側に配置される。電源１１１は、熱源部である。電源１１１の温度が上がりすぎると、電源１１１は動作が不安定になり、光ディスク装置も動作が不安定になることがある。そこで、電源１１１が発熱して温度が上がって不具合が生じないように、対策が施されている。すなわち、ピックアップカバー１１３に段差１１５を設けて光ディスク１０８の回転によって生じた風１０９を矢印Ａ、ＢのようにＰＵＭカバー１０６との隙間に集める。そして、ピックアップカバー１１３に設けた開口部１１４からピックアップカバー１１３の下面側に風１０９を導き、電源１１１に当てて、電源１１１を冷却する。さらに、排風部１１６から矢印Ｃのように熱を伴った風１０９を外部に逃がす。このようにして電源１１１の温度が上がりすぎないようにしている。
【特許文献１】特開２００６−２８６１７３号公報
【発明の開示】
【発明が解決しようとする課題】
【０００９】
ところが、光ディスク装置には薄型化が要求されており、ＰＵＭカバーとピックアップカバーとの間の隙間をあまり大きくすることはできない。そのため、熱源部がＰＵＭカバーの開口部から離れた位置にあると、光ディスクによる風が効果的に流入しにくく、効率的に熱源部を冷却しにくい場合があった。
【００１０】
本発明は、上記課題を解決するもので、熱源部を効率よく冷却して熱源部の温度上昇を抑制しやすい光ディスク装置を提供する。
【課題を解決するための手段】
【００１１】
上記課題を解決するために、本発明は、光ディスクを回転させる駆動部と、前記光ディスクの半径方向に沿って移動する対物レンズ及び前記光ディスクの回転方向に対し前記対物レンズより下流側に熱源部を設けた光ピックアップ部と、を備え、前記光ピックアップ部は、前記光ディスクの回転方向に対し前記対物レンズより下流側の内周側側面に貫通孔を有し、前記光ディスクの回転により生じた風を前記貫通孔を介して前記光ピックアップ部の内部に流入させ、内部に配置された前記熱源部を冷却することを特徴とする光ディスク装置とした。
【００１２】
光ディスクの回転により生じた風は、光ディスクの円周の接線方向からわずかに外側に向けて流れる。光ピックアップ部には光ディスクの回転方向に対し対物レンズより下流側の内周側側面に貫通孔が設けられており、風は貫通孔までほぼ遮られることなく所定の角度で到達する。したがって、大量の風が貫通孔から光ピックアップ部の内部に流入する。そのため、光ピックアップ部の内部に配置された熱源部はディスクの回転により生じた風によって効率良く冷却されて温度上昇が抑制される。
【発明の効果】
【００１３】
光ディスク装置を薄くしても、光ディスクの回転により生じた風が貫通孔から光ピックアップ部の内部に大量に流入して熱源部に当たり、熱源部は効率良く冷却されて温度上昇が抑制される。そのため、安定した動作の薄型の光ディスク装置が得られる。
【発明を実施するための最良の形態】
【００１４】
本発明の請求項１の発明は、光ディスクを回転させる駆動部と、光ディスクの半径方向に沿って移動する対物レンズ及び光ディスクの回転方向に対し対物レンズより下流側に熱源部を設けた光ピックアップ部と、を備え、光ピックアップ部は、光ディスクの回転方向に対し対物レンズより下流側の内周側側面に貫通孔を有し、光ディスクの回転により生じた風を貫通孔を介して光ピックアップ部の内部に流入させ、内部に配置された熱源部を冷却する光ディスク装置である。
【００１５】
光ディスクの回転により生じた風は、光ディスクの円周の接線方向に対し、ほぼ平行からわずかに外側に向けて流れる。光ピックアップ部には光ディスクの回転方向に対し対物レンズより下流側の内周側側面に貫通孔が設けられており、風は貫通孔までほぼ遮られることなく所定の角度で到達する。したがって、光ディスク装置を薄くしても、大量の風が貫通孔から光ピックアップ部の内部に流入する。そのため、光ピックアップ部の内部に配置された熱源部は光ディスクの回転により生じた風によって効率良く冷却されて温度上昇が抑制される。したがって、安定した動作の薄型の光ディスク装置が得られる。
【００１６】
また、光ディスクの回転の線速度は角速度が同じ場合外周ほど速いため、光ディスクに記録するためのレーザ光の出力は外周ほど大パワーが要求される。そのため、熱源部も外周ほど発熱量が大きく、温度が上がりやすい。一方、光ピックアップ部の内周側側面は円形状であり、その半径は、駆動部を構成するスピンドルモータのターンテーブルの半径とほぼ同じである。光ディスクによる風は、光ディスクの円周の接線方向に対し、ほぼ平行からやや外側に向き、半径が大きいほど外側を向く度合いが大きい。したがって、光ピックアップ部が光ディスクの外周部へ行くほど風の進行方向と貫通孔とのなす角は大きくなり、貫通孔から風が入りやすくなる。さらに、風は外周ほど流速は速くなるので、より強い風が貫通孔から光ピックアップ部の内部へと入る。したがって、熱源部の温度が上がりやすい外周ほど貫通孔から入る風が強く、効率良く熱源部が発生する熱を奪うことができ、熱源部を冷却して温度の上昇を効率良く抑制することができる。
【００１７】
請求項２の発明は、請求項１の発明において、熱源部は矩形状でその角部を貫通孔に向けて配置され、光ピックアップ部は、流入する風を矩形状の熱源部の角部に当てて２方向に分け、矩形状の熱源部の２辺に沿って流れさせ、熱源部を冷却する光ディスク装置である。
【００１８】
風は、熱源部の角部に当たり熱源部の側面を２方向に分かれて進行するため、熱源部の側面から効率良く熱を奪うことができる。そのため、熱源部の温度上昇を抑制しやすい。
【００１９】
請求項３の発明は、請求項１の発明において、熱源部は矩形状でその角部を貫通孔に向けて配置され、貫通孔の高さは熱源部の高さとほぼ同じであり、光ピックアップ部は、流入する風を矩形状の熱源部の側面に集めて、熱源部の角部に当てて２方向に分け、矩形状の熱源部の２辺に沿って流れさせ、熱源部を冷却する光ディスク装置である。
【００２０】
貫通孔の高さと熱源部の高さとがほぼ同じため、風は、熱源部の上部には流れにくく、矩形状の熱源部の側面に集まりやすい。そのため、風は、熱源部の角部に当たり熱源部の側面に集まって側面を２方向に分かれて進行するため、熱源部の側面からさらに効率良く熱を奪うことができる。そのため、熱源部の温度上昇をより抑制しやすい。
【００２１】
請求項４の発明は、請求項１の発明において、光ピックアップ部は、所定の高さを有し内部に熱源部を収納する基台を有し、貫通孔は、基台の内周側側面に設けられた光ディスク装置。
【００２２】
基台に貫通孔を設けたことにより、切り欠きを設けた場合よりも、基台の剛性を確保しやすい。そのため、基台の高さを低くして光ピックアップ部の厚さを薄くすることができ、光ディスク装置の厚さもより薄くすることができる。
【００２３】
請求項５の発明は、請求項１の発明において、対物レンズ及び駆動部を露出させる開口部を有し光ピックアップ部の熱源部に対応する領域を覆うカバーを備え、貫通孔を介して光ピックアップ部の内部に流入する風は、光ディスクの回転により生じカバーの開口部からカバーの下側に流入した風である光ディスク装置である。
【００２４】
光ピックアップ部が存在しないカバーの下側には、少なくとも光ピックアップ部の厚さとほぼ同等以上の隙間がある。そのため、光ピックアップ部の内周側側面とスピンドルモータのターンテーブルの側面とがほぼ隣接する最内周を除いて、光ディスクの回転により生じた風は、光ピックアップ部の内周側ではほぼ遮られることなくカバーの下面側に入り込み、貫通孔に到達する。したがって、大量の風が貫通孔から光ピックアップ部の内部に流入する。そのため、光ピックアップ部の内部に配置された熱源部はディスクの回転により生じた風によって効率良く冷却されて温度上昇が抑制される。したがって、安定した動作の光ディスク装置が得られる。
【００２５】
請求項６の発明は、請求項１の発明において、ピックアップ部は、熱源部を冷却した風を流入方向の下流側に逃がす開口部を有する光ディスク装置である。
【００２６】
貫通孔から導入された風が開口部で排出されるため、貫通孔から開口部まで効率良く風が流れ、電源の温度上昇を抑制することができる。
【００２７】
請求項７の発明は、請求項１の発明において、光ピックアップ部は、風の流入方向に対し熱源部の下流側に壁を有し、この壁に熱源部を冷却した風を流入方向の下流側に逃がす開口部を設けた光ディスク装置である。
【００２８】
貫通孔から導入された風が開口部で排出されるため、貫通孔から開口部まで効率良く風が流れ、電源の温度上昇を抑制することができる。
【００２９】
請求項８の発明は、請求項１の発明において、光ピックアップ部は、光ピックアップ部を覆うピックアップカバーを有し、このピッアップカバーの上面に熱源部を冷却した風を流入方向の下流側に逃がす開口部を設けた光ディスク装置である。
【００３０】
貫通孔から導入された風が開口部で排出されるため、貫通孔から開口部まで効率良く風が流れ、電源の温度上昇を抑制することができる。
【００３１】
請求項９の発明は、請求項２または３の発明において、光ピックアップ部は、矩形状の熱源部の２辺のうち一方の辺に沿って流れた風をその流入方向の下流側に逃がす第１開口部と、矩形状の熱源部の２辺のうち他方の辺に沿って流れた風をその流入方向の下流側に逃がす第２開口部と、を有する光ディスク装置である。
【００３２】
第１開口部と第２開口部とから風が排出されるため、貫通孔から第１開口部まで及び貫通孔から第２貫通孔まで矩形状の熱源部の２辺に沿って効率良く風が流れ、電源の温度上昇を抑制することができる。
【００３３】
請求項１０の発明は、請求項１の発明において、熱源部が発した熱を熱源部の下面から光ピックアップ部の底部に伝達する伝熱部材を設けた光ディスク装置である。
【００３４】
熱源部が発した熱を熱源部の下面からも光ピックアップ部の底部に逃がすことができ、電源の温度上昇をさらに効率良く抑制することができる。
【００３５】
請求項１１の発明は、請求項１０の発明において、熱源部は、光ピックアップ部の底部に沿って配置されたフレキシブルプリント基板上に設けられ、貫通孔を介して光ピックアップ部の内部に流入した風は、光ピックアップ部の底部とフレキシブルプリント基板との間に形成された所定の隙間に流入し、伝熱部材によって熱源部の下面から熱が伝達された光ピックアップ部の底部を冷却する光ディスク装置である。
【００３６】
光ピックアップ部の底部とフレキシブルプリント基板との間に形成された所定の隙間にディスクの回転による風が流入するため、伝熱部材によって熱源部の下面から熱が伝達された光ピックアップ部の底部が冷却される。そのため、熱源部が冷却され、熱源部の温度上昇をさらに抑制することができる。
【００３７】
請求項１２の発明は、請求項１１の発明において、底部のフレキシブルプリント基板に対向する面に貫通孔から伝熱部材が設けられた近傍まで導風溝を形成した光ディスク装置である。
【００３８】
導風溝により、熱源部の下面から熱が伝達された光ピックアップ部の底部の近傍に風がさらに向かいやすくなるため、電源の温度上昇をさらに抑制しやすくなる。また、導風溝がフィンの役割も果たすので、電源の温度上昇をさらに抑制しやすくなる。
【００３９】
請求項１３の発明は、請求項２または３の発明において、光ピックアップ部は、熱源部の上面を覆うフレキシブルプリント基板を有し、このフレキシブルプリント基板は、貫通孔を介して光ピックアップ部の内部に流入した風が熱源部の上方に拡散される量を減少させて熱源部の２辺に沿って流れる量を増大させる光ディスク装置である。
【００４０】
熱源部の上方がフレキシブルプリント基板で開放されないため、風が熱源部の上方に拡散される量が減少する。そのため、風は逆に熱源部の２辺に沿って流れる量が増大して集中して熱源部の近くを流れ、効率良く熱源部の熱を奪うことができる。
【００４１】
（実施の形態１）
本実施の形態１について図面を参照しながら説明する。
【００４２】
図１は本実施の形態１の光ディスク装置の構成図、図２（ａ）は本実施の形態１の光ピックアップモジュールの構成図、図２（ｂ）はＰＵＭカバーを外した光ピックアップモジュールの構成図である。
【００４３】
光ディスク装置１０において、筐体１１は上部筐体１１ａと下部筐体１１ｂを組み合わせてネジなどを用いて互いに固定して構成されている。トレイ１２は筐体１１に出没自在に設けられている。トレイ１２はＰＵＭカバー２１を取り付けた光ピックアップモジュール２０を下面側から配置する。ＰＵＭカバー２１は開口部２１ａを有し、光ピックアップ部３０の対物レンズ３６及びスピンドルモータ２２のターンテーブル２２ａを露出させる。さらに本実施の形態１の場合、フィードモータ２３も露出させて、ＰＵＭカバー２１の厚さの分だけ光ピックアップモジュール２０の厚さが薄くなるようにしている。トレイ１２は開口を有し、対物レンズ３６及びスピンドルモータ２２のターンテーブル２２ａ、ＰＵＭカバー２１の少なくとも一部を露出させる。
【００４４】
ベゼル１３はトレイ１２の前端面に設けられて、トレイ１２が筐体１１内に収納された時にトレイ１２の出没口を塞ぐように構成されている。ベゼル１３にはイジェクトスイッチ１４が設けられ、イジェクトスイッチ１４を押すことで、筐体１１とトレイ１２との係合が解除され、トレイ１２は筐体１１に対し出没が可能な状態となる。レール１５はそれぞれトレイ１２の両側部及び筐体１１の双方に摺動自在に取り付けられる。筐体１１内部やトレイ１２内部には図示していない回路基板があり、信号処理系のＩＣや電源回路などが搭載されている。外部コネクタ１６はコンピュータ等の電子機器に設けられた電源／信号ラインと接続される。そして、外部コネクタ１６を介して光ディスク装置１０内に電力を供給したり、あるいは外部からの電気信号を光ディスク装置１０内に導いたり、あるいは光ディスク装置１０で生成された電気信号を電子機器などに送出する。
【００４５】
図２において、光ディスク９０を回転駆動する回転駆動部及び光ピックアップ部３０を回転駆動部に対して近づけたり離したりする移動部を備える光ディスク装置１０の駆動機構を光ピックアップモジュール２０という。ベース２４は光ピックアップモジュール２０の骨組みを成すもので、光ピックアップモジュール２０はベース２４に直接または間接に各構成部品が配置されて構成される。
【００４６】
回転駆動部は光ディスク９０を載置するターンテーブル２２ａを有するスピンドルモータ２２を備える駆動部である。スピンドルモータ２２はベース２４に固定される。スピンドルモータ２２は光ディスク９０を回転させる回転駆動力を生成する。スピンドルモータ２２は薄い円柱形状であり、その側面は、光ピックアップ部３０が最内周にあるときに光ピックアップ部３０の内周側の側面とほぼ隣接して対向する。
【００４７】
移動部はフィードモータ２３、スクリューシャフト２５、ガイドシャフト２６、２７を備える駆動部である。フィードモータ２３はベース２４に固定される。フィードモータ２３は光ピックアップ部３０が光ディスク９０の内周と外周の間を移動するために必要な回転駆動力を生成する。フィードモータ２３としてステッピングモータ、ＤＣモータなどが使用される。スクリューシャフト２５はらせん状に溝が掘られており、直接または数段のギアを介してフィードモータ２３に接続される。本実施の形態１では直接フィードモータ２３と接続される。ガイドシャフト２６、２７はそれぞれ両端でガイド軸保持部材を介してベース２４に固定される。ガイドシャフト２６、２７は光ピックアップ部３０を移動自在に支持する。光ピックアップ部３０はスクリューシャフト２５の溝と噛み合うガイド歯を有するラック２８を備える。ラック２８がスクリューシャフト２５に伝達されたフィードモータ２３の回転駆動力を直線駆動力に変換するために光ピックアップ部３０は光ディスク９０の内周と外周の間を移動することができる。
【００４８】
なお、回転駆動部は光ディスク９０を所定の回転数で回転させることができる構成であれば、本実施の形態１で説明した構成に限るものではない。また移動部は光ピックアップ部３０を光ディスク９０の内周と外周の間の所定の位置に移動させることができる構成であれば、本実施の形態１で説明した構成に限るものではない。
【００４９】
光ピックアップ部３０は、レーザ光の光源３４と、レーザ光を光ディスク９０に集束させる対物レンズ３６と、光源３４を駆動する電源３５とを備える。また、光源３４、対物レンズ３６、電源３５を配置する基台３１を備える。光ディスク９０の回転方向に対し対物レンズ３６より下流側の基台３１の内周側の側面３２には貫通孔３３が設けられている。
【００５０】
また、電源３５は光源３４を駆動する際に発熱する熱源部である。光ディスク９０の回転の線速度は、角速度が同じ場合外周ほど速いため、光ディスク９０に記録するためのレーザ光の出力は外周ほど大パワーが要求される。そのため、電源３５は、外周ほど発熱量が大きく、温度が上がりやすい。また、電源３５は、対物レンズ３６より下流側の光ピックアップ部３０の内部に配置される。
【００５１】
光ピックアップ部３０の対物レンズ３６から出射されるレーザ光が光ディスク９０に対し直角に入射するように、ガイドシャフト保持部材を構成する調整機構でガイドシャフト２６、２７の傾きを調整する。
【００５２】
ＰＵＭカバー２１は、対物レンズ３６及び駆動部であるスピンドルモータ２２のターンテーブル２２ａを露出させる開口部２１ａを有する。ＰＵＭカバー２１は光ピックアップ部３０の熱源部である電源３５に対応する領域を覆う。ＰＵＭカバー２１は、樹脂等で形成しても構わないが、通常は、板金を加工して形成される。
【００５３】
光ディスク９０の回転により風Ｗが生じる。風Ｗは、光ディスク９０の円周の接線方向に対し、ほぼ平行からわずかに外側に向けて流れる。風Ｗは、外周ほど流速が速く、より外側に向けて流れる。風Ｗは、ＰＵＭカバー２１の開口部２１ａからＰＵＭカバー２１の下面側に入り、光ピックアップ３０の貫通孔３３から光ピックアップ部３０の内部に流入し、電源３５を冷却する。その際、風Ｗは、光ディスク装置１０が薄型であっても、ＰＵＭカバー２１にほとんど遮られないため、大量の風Ｗが貫通孔３３から光ピックアップ部３０内部に流入することができる。また、流入できる風Ｗの量は、貫通孔３３が開口部２１ａから離れた位置でもあまり変わらない。したがって、電源３５を開口部２１ａから離して配置しても十分に風Ｗを電源３５まで送ることができ、電源３５を効率良く冷却することができる。また、光ディスク装置１０が薄型であっても、電源３５を効率良く冷却することができるので、光ディスク装置１０を薄くすることができる。
【００５４】
図３は本実施の形態１の貫通孔の位置と風の向きの関係を示す図である。光ピックアップ部３０は、対物レンズ３６が光ディスク９０の半径方向に移動するように移動する。したがって、対物レンズ３６の中心とスピンドルモータ２２の回転中心とを結ぶ方向と、スクリューシャフト２５、ガイドシャフト２６、２７の軸方向とがほぼ平行となるようにされる。スピンドルモータ２２の中心は光ディスク９０の中心とほぼ一致する。光ピックアップ部３０の内周側の側面３２は円形状であり、その半径は、スピンドルモータ２２のターンテーブル２２ａの半径とほぼ同じである。
【００５５】
光ピックアップ部３０の内周側の側面３２に設けられた貫通孔３３は、光ディスク９０の回転方向に対し対物レンズ３６より下流側に位置している。そのため風Ｗは、貫通孔３３に対し所定の角度Ａで到達する。角度Ａは大きいほど風Ｗが光ピックアップ部３０の内部に流入しやすい。貫通孔３３が対物レンズより上流側に位置すると、角度Ａは０またはマイナスとなる。すなわち、風Ｗは、光ピックアップ部３０自身に遮られ、貫通孔３３から光ピックアップ部３０の内部にまで流入しにくいことになる。また、角度Ａは、最内周でほぼ０であり、外周ほど大きく貫通孔３３から風Ｗが流入しやすい。外周ほど風Ｗの流速が速く、角度Ａが大きいため、電源３５の温度が上がりやすい外周ほど風Ｗが貫通孔から流入しやすい。そのため、効率良く電源３５が発生する熱を奪うことができ、電源３５を冷却して温度の上昇を効率良く抑制することができる。
【００５６】
さらに詳細に説明する。
【００５７】
図４は本実施の形態１の光ピックアップ部の分解斜視図である。光ピックアップ部３０は、基台３１に光源３４、電源３５、対物レンズ３６、フレキシブルプリント基板５０が組み込まれ、ピックアップカバー３７で表面を覆われて構成される。ピックアップカバー３７は、フレキシブルプリント基板５０を覆うＦＰＣカバー３７ａと対物レンズ３６の周囲を覆うＡＣＴカバー３７ｂとの２枚のカバーで構成される。熱源部である電源３５は、フレキシブルプリント基板５０上に配置され、基台３１の電源収納部４３に収納される。その際、電源３５の下面と基台３１の底面４１との間をつなぐように伝熱部材５６が配置される。フレキシブルプリント基板５０は、光源３４と電源３５とを接続する。また、ＡＣＴカバー３７ｂは、対物レンズ３６を露出させてレーザ光が光ディスク９０に向けて出射できるようにカバー貫通孔３７ｄが設けられている。
【００５８】
図５（ａ）は本実施の形態１の基台の構成図、図５（ｂ）は視点を変えた基台の構成図である。光ピックアップ部３０は、基台３１に各種部品が組み込まれて構成される。基台３１は光ピックアップ部３０の骨組みである。基台３１は、Ｚｎ合金、Ｍｇ合金等の合金材料あるいは硬質樹脂材料で形成されるが、剛性を確保しやすい合金材料が望ましい。基台３１には各種部品を配置するための取付部が所定の箇所に設けられている。基台３１は所定の高さを有し、内部に熱源部である電源３５を収納する。
【００５９】
基台３１の内周側の側面３２は、スピンドルモータ２２の外周面とほぼ同じ半径の円筒面であり、光ピックアップ部３０が最内周に位置するとき、スピンドルモータ２２の外周面とほぼ隣接して対向する。側面３２には貫通孔３３が設けられている。貫通孔３３ではなく、切り欠き部としても構わない。しかし、貫通孔３３とすることで、基台３１の剛性を確保しやすいため、基台３１の高さを低くして、光ピックアップ部３０を薄くすることができる。貫通孔３３は前述の通り、光ディスク９０の回転方向に対し、対物レンズ３６の下流側に設けられる。
【００６０】
貫通孔３３から基台３１の内部に入った領域は、電源３５が収納される電源収納部４３である。電源収納部４３は、内周側の側面３２と風Ｗの流入方向に対し下流側に設けられた壁４４と底部４１とを備える。電源３５は、この側面３２と壁４４と底部４１とに囲まれた電源収納部４３に配置される。底部４１のフレキシブルプリント基板５０に対向する面には貫通孔３３から内部に向かって導風溝４２が設けられている。導風溝４２は、電源３５から底部４１に熱を逃がす伝熱部材５６の近傍に風Ｗが効率良く導かれるようにしたものである。伝熱部材５６は導風溝４２の最も奥側に配置される。壁４４には開口部４５が設けられる。貫通孔３３から流入した風Ｗは、開口部４５から流入方向の下流側に逃げる。
【００６１】
開口部４５から逃げた風４５の下流側には光源収納部４６が設けられている。光源収納部４６には光源固定部４７が設けられ、結合部材に取り付けられた光源３４が光源固定部４７に固定される。光源収納部４６には、電源収納部４３のような底部４１は設けられていない。
【００６２】
また、光ディスク９０の回転に対し、上流側には対物レンズ駆動装置収納部４８が設けられ、対物レンズ駆動装置に搭載された対物レンズ３６が配置される。対物レンズ駆動装置収納部４８には光源収納部４６と同様に、電源収納部４３のような底部４１は設けられていない。
【００６３】
図６（ａ）は本実施の形態１の上方から見たフレキシブルプリント基板の斜視構成図、図６（ｂ）は下方から見たフレキシブルプリント基板の斜視構成図である。本実施の形態１のフレキシブルプリント基板５０は、電源３５と光源３４とを接続し、さらに、光ピックアップ部３０の外部とも接続される。本実施の形態１のフレキシブルプリント基板５０は、さらに風Ｗの流れにも影響を及ぼす。
【００６４】
フレキシブルプリント基板５０は、元々平板状の形態であるが、基台３１の電源収納部４６において、このフレキシブルプリント基板５０は折り曲げられて３層構造を有する。最下面の第１層５０ａ上に電源３５が配置される。第１層５０ａの電源３５が配置される位置には第１のＦＰＣ貫通孔５１が設けられている。この第１のＦＰＣ貫通孔５１を介して伝熱部材５６が電源３５の下面と基台３１の底部４１とを熱的に接続する。第１層５０ａから立ち上げられた第２層５０ｂは、電源３５の上方を覆う。また、さらに第２層５０ｂの上方を第１層５０ａから立ち上げられた第３層５０ｃが覆う。また、第１層５０ａから立ち上げられて、電源接続部５３が設けられ、フレキシブルプリント基板５０は電源接続部５３で電源３４と接続される。また、第１層５０ａから立ち上げられて固定部５４が設けられ、固定部５４はピックアップカバー３７に挟まれて、ピックアップカバー３７の上方から基台３１にねじ等で固定される。後述するように、第１層５０ａは、基台３１の底部４１との間に所定の隙間を有するように配置される。固定部５４と第１層５０ａとの間隔を、基台３１の底部４１と固定部５４を固定する個所との段差よりも小さくすることで、この隙間を形成することができる。
【００６５】
第１層５０ａから第２層５０ｂを立ち上げる立ち上げ部には、第２のＦＰＣ貫通孔５５が設けられる。第２のＦＰＣ貫通孔５５に基台３１の貫通孔３３が対応する。電源３５は、第２のＦＰＣ貫通孔５５の近傍に配置される。また、第１層５０ａから第３層５０ｃを立ち上げる立ち上げ部と第１層５０ａから光源接続部５３を立ち上げる立ち上げ部との間には隙間５２が設けられる。隙間５２が、基台３１の開口部４５に対応する。
【００６６】
図７は本実施の形態１の電源の構成図である。電源３５は光源３４に供給する電力を生成する。そのため、電源３５は、前述の通り、熱源部である。電源３５は、薄く、平面視ほぼ矩形状である。辺部３５ｂの周囲にはフレキシブルプリント基板５０と接続される端子部３５ｅが設けられている。上面３５ｃと下面３５ｄはほぼ平らである。電源３５は、第２のＦＰＣ貫通孔５５の近傍に配置され、角部３５ｂの一つが第２のＦＰＣ貫通孔５５に向けて配置される。また、その際、第１のＦＰＣ貫通孔５１が下面３５ｂの下側に配置される。
【００６７】
図８は本実施の形態１のＦＰＣカバーの構成図である。ＦＰＣカバー３７ａは、ステンレス等の金属や合金の板金にプレス等で所定の加工を施し、所定の形状としたものである。ＦＰＣカバー３７ａは、基台３１の上面側を覆って固定され、フレキシブルプリント基板５０がＰＵＭカバー２１や光ディスク９０と接触しないようにする保護カバーである。ＦＰＣカバー３７ａの上面にカバー開口部３７ｃを設けた。後述するようにカバー開口部３７ｃは貫通孔３３から光ピックアップ部３０の内部に流入し電源３５を冷却した風Ｗを流入方向の下流側に逃がす開口部である。本実施の形態１において、この開口部をカバー開口部３７ｃとした。カバー開口部３７ｃは貫通孔であるが、切り欠き等でも構わない。
【００６８】
対物レンズ３６は、光源３４から出射されたレーザ光を光ディスク９０で集束させる集光レンズである。対物レンズ３６は光学ガラスや光学プラスチックで形成される。対物レンズ３６は、対物レンズ駆動装置に搭載され、対物レンズ駆動装置は基台３１の対物レンズ駆動装置収納部４８に配置される。
【００６９】
伝熱部材５６は、電源３５の下面３５ｄと基台３１の底部４１の表面とを熱的に接続し、電源３５が発した熱を底部４１に逃がす。伝熱部材５６としては良好な熱伝導性を有し、真の接触面積を大きくできる伝熱グリス等が好ましい。しかし、伝熱グリスに限るものではなく、熱伝導性が良いグラファイトシートや金属板等でも構わない。電源３５と底部４１との間にはフレキシブルプリント基板５０の第１層５０ａがある。しかし、前述の通り、フレキシブルプリント基板５０には第１のＦＰＣ貫通孔５１が設けてあり、第１のＦＰＣ貫通孔５１を介して電源３５と底部４１とが伝熱部材５６で接続される。
【００７０】
次に風Ｗの流れについて説明する。
【００７１】
図９は本実施の形態１の基台の貫通孔から基台の開口部までの風の流れを示す断面図、図１０は本実施の形態１の基台の貫通孔からカバー開口部までの風の流れを示す断面図、図１１は本実施の形態１のフレキシブルプリント基板の第１層と第２層との間の風の流れを示す斜視図、図１２は本実施の形態１の基台の底部とフレキシブルプリント基板の第１層との間の風の流れを示す斜視図である。
【００７２】
図１１において、基台３１の貫通孔３３から流入した光ディスク９０の回転により生じた風Ｗのうちフレキシブルプリント基板５０の第１層５０ａと第２層５０ｂとの間に流入した風Ｗは、矩形状の電源３５の角部３５ａに当たり２方向に分かれる。そして、電源３５の２つの辺部３５ｂに沿って流れる。一方の辺部３５ｂに沿って流れた風Ｗは、基台３１の開口部４５から流出する。この風Ｗの流れの様子が、図９の上側の風Ｗとして示してある。また、他方の辺部３５ｂに沿って流れた風Ｗは、ピックアップカバー３７であるＦＰＣカバー３７ａのカバー開口部３７ｃから流出する。この風Ｗの流れの様子が、図１０の上側の風Ｗとして示してある。このように、本実施の形態１では、その流入方向の下流側に逃がす開口部が２つ設けられ、それぞれ第１開口部を開口部４５、第２開口部をカバー開口部３７ｃとする（逆でも構わない。）。２つの開口部が設けられて風が排出されるため、貫通孔３３から開口部４５まで及び貫通孔３３からカバー開口部３７ｄまで矩形状の電源３５の２辺に沿って効率良く風が流れる。そのため、電源３５の熱を効率的に奪って冷却し、電源３５の温度上昇を抑制することができる。
【００７３】
ここで、基台３１の開口部３３の高さは電源３５の高さとほぼ同じとしている。風Ｗは、電源３５の上側には流れにくく、矩形状の電源３５の側面に集まりやすい。そのため、風Ｗは、電源３５の角部３５ａに当たり電源３５の側面に集まって側面を２方向に分かれて進行するため、電源３５の側面からさらに効率良く熱を奪うことができる。そのため、電源３５の温度上昇をより抑制しやすい。
【００７４】
また、フレキシブルプリント基板５０の第２層５０ｂは電源３５の上面を覆っている。第２層５０ｂは、貫通孔３３を介して光ピックアップ部３０の内部に流入した風Ｗが電源３５の上方に拡散される量を減少させて電源３５の２辺に沿って流れる量を増大させる。風Ｗが電源３５の２辺に沿って集中して多くの量が電源３５の近くを流れ、効率良く電源３５の熱を奪うことができる。
【００７５】
図１２において、電源３５で発生した熱は伝熱部材５６を通って、基台３１の底部４１に伝えられ、伝熱部材５６の周辺の底部４１の温度は上昇する。底部４１とフレキシブルプリント基板５０の第１層５０ａとの間には所定の隙間が設けられている。風Ｗは貫通孔３３から底部４１と第１層５０ａとの間にも流入する。風Ｗは、底部４１に形成された導風溝４２に沿って伝熱部材５６の周辺に流れ込む。導風溝４２は、貫通孔３３から伝熱部材５６が配置される近傍まで形成されており、風Ｗを伝熱部材５６の近傍まで導く。風Ｗは、電源３５から熱が伝えられて温度が上昇した部分の底部４１を冷却して温度を下げる。その際、導風溝４２は、フィンの役割を果たし、風Ｗはより効率良く底部４１を冷却する。そして、風Ｗは、基台３１の開口部４５またはカバー開口部３７ｃから排出される。この風Ｗの様子が、それぞれ図９、図１１の下側の風Ｗとして示してある。
【００７６】
このように電源３５が発した熱を電源３５の下面３５ｄからも光ピックアップ部３０の底部４１に逃がすことができ、電源３５の温度上昇をさらに効率良く抑制することができる。また、光ピックアップ部３０の底部４１とフレキシブルプリント基板５０の第１層５０ａとの間に形成された所定の隙間にディスク９０の回転による風Ｗが流入するため、伝熱部材５６によって電源３５の下面３５ｄから熱が伝達された光ピックアップ部３０の底部４１が冷却される。そのため、電源３５が冷却され、電源３５の温度上昇をさらに抑制することができる。さらに導風溝４２により、電源３５の下面から熱が伝達された光ピックアップ部３０の底部４１の近傍に風Ｗがさらに向かいやすくなるとともに導風溝４２がフィンの役割を果たすため、電源３５の温度上昇をさらに抑制しやすくなる。
【００７７】
また、本実施の形態１において、光源３４は光源収納部４６に配置される。基台３１の貫通孔３３から流入し、基台３１の開口部４５から排出された光ディスク９０の回転により生じた風Ｗは、光源３４にも当たる。光源３４も熱源部であるため、風Ｗは光源３４の熱も逃がし、温度を下げる働きをする。
【００７８】
尚、本実施の形態１において、熱源部は電源３５として説明したが、それに限るものではない。例えば、光源３４でも構わないし、光源３４から出射され光ディスク９０で反射されたレーザ光を検出する光検出器でも構わない。また、光源３４から出射され光ディスク９０には向かわないレーザ光を検出する光検出器でも構わない。また、その他の熱源でも構わない。
【００７９】
以上のように、本実施の形態１の光ディスク装置１０は、薄型であっても、光ディスク９０の回転により生じた風Ｗが大量に貫通孔３３から光ピックアップ部３０の内部に流入する。そのため、光ピックアップ部３０の内部に配置された熱源部である電源３５は光ディスク９０の回転により生じた風Ｗによって効率良く冷却され、温度上昇を抑制しやすい。したがって、安定した動作の薄型の光ディスク装置１０が得られる。
【産業上の利用可能性】
【００８０】
以上のように、本発明の光ディスク装置は、光ピックアップ部の温度上昇が抑制されて動作が安定している。そのため、パーソナルコンピュータ、ノートブック型コンピュータ等の電子機器に搭載される。
【図面の簡単な説明】
【００８１】
【図１】本実施の形態１の光ディスク装置の構成図
【図２】（ａ）本実施の形態１の光ピックアップモジュールの構成図、（ｂ）ＰＵＭカバーを外した光ピックアップモジュールの構成図
【図３】本実施の形態１の貫通孔の位置と風の向きの関係を示す図
【図４】本実施の形態１の光ピックアップ部の分解斜視図
【図５】（ａ）本実施の形態１の基台の構成図、（ｂ）視点を変えた基台の構成図
【図６】（ａ）本実施の形態１の上方から見たフレキシブルプリント基板の斜視構成図、（ｂ）下方から見たフレキシブルプリント基板の斜視構成図
【図７】本実施の形態１の電源の構成図
【図８】本実施の形態１のＦＰＣカバーの構成図
【図９】本実施の形態１の基台の貫通孔から基台の開口部までの風の流れを示す断面図
【図１０】本実施の形態１の基台の貫通孔からカバー開口部までの風の流れを示す断面図
【図１１】本実施の形態１のフレキシブルプリント基板の第１層と第２層との間の風の流れを示す斜視図
【図１２】本実施の形態１の基台の底部とフレキシブルプリント基板の第１層との間の風の流れを示す斜視図
【図１３】従来の光ピックアップモジュールの構成図
【図１４】従来の光ピックアップ部の構成図
【符号の説明】
【００８２】
１０    光ディスク装置
１１    筐体
１１ａ    上部筐体
１１ｂ    下部筐体
１２    トレイ
１３    ベゼル
１４    イジェクトスイッチ
１５    レール
１６    外部コネクタ
２０    光ピックアップモジュール
２１    ＰＵＭカバー
２１ａ    開口部
２２    スピンドルモータ
２２ａ    ターンテーブル
２３    フィードモータ
２４    ベース
２５    スクリューシャフト
２６、２７    ガイドシャフト
２８    ラック
３０    光ピックアップ部
３１    基台
３２    側面
３３    貫通孔
３４    光源
３５    電源
３５ａ    角部
３５ｂ    辺部
３５ｃ    上面
３５ｄ    下面
３５ｅ    端子部
３６    対物レンズ
３７    ピックアップカバー
３７ａ    ＦＰＣカバー
３７ｂ    ＡＣＴカバー
３７ｃ    カバー開口部
３７ｄ    カバー貫通孔
４１    底部
４２    導風溝
４３    電源収納部
４４    壁部
４５    開口部
４６    光源収納部
４７    光源固定部
４８    対物レンズ駆動装置収納部
５０    フレキシブルプリント基板
５０ａ    第１層
５０ｂ    第２層
５０ｃ    第３層
５１、５５    ＦＰＣ貫通孔
５２    隙間
５３    電源接続部
５４    固定部
５６    伝熱部材
５７    結合部材
９０    光ディスク
Ａ    角度
Ｗ    風
【図１】
2008226294.tif 000003
【図２】
2008226294.tif 000004
【図３】
2008226294.tif 000005
【図４】
2008226294.tif 000006
【図５】
2008226294.tif 000007
【図６】
2008226294.tif 000008
【図７】
2008226294.tif 000009
【図８】
2008226294.tif 000010
【図９】
2008226294.tif 000011
【図１０】
2008226294.tif 000012
【図１１】
2008226294.tif 000013
【図１２】
2008226294.tif 000014
【図１３】
2008226294.tif 000015
【図１４】
2008226294.tif 000016